(57)【特許請求の範囲】
【請求項１】
車椅子の背部に枠体を結合させる結合部を有し、
上記車椅子の座部より面積の小さい天板と、当該天板に折りたたみ可能に止着された脚部と、上記天板より引出し可能に装着された架設部と、上記天板上部に枠体を継合させる継合部とを有し、使用時に、当該脚部を立て、当該架設部を天板より引き出して車椅子の前方に車椅子の座部の高さにて当該座部に架設する足置部と、
一方の端部を上記継合部の上方に挿抜可能にし、車椅子の肘掛の高さにおいて水平方向に屈曲可能にすると共に他方の端部を上記結合部と結合しうる水平方向に伸縮自在の二本の側部と、当該二本の側部を上記屈曲部近傍において水平方向に接合させうる接合部と、を有し、使用時に、一方の端部を天板の継合部に差し込み、枠体の他方の端部を車椅子の結合部に結合させ、さらに二本の側部を上記屈曲部近傍で相互に接合する枠体と、
排水部を有し、底部、脚壁部、背壁部、側壁部に気体を封入可能なシートにて構成され、背壁部から左右側壁部の一部に掛けての背側部区画、脚部区画、その他の一般区画を独立して構成し、これらの区画それぞれに独立して気体の封入が可能とし、上記脚壁部、側壁部の上方に上記枠体に連結させる連結部を有し、使用時に、介護対象者が車椅子に座着した状態で、介護対象者の臀部を片側ずつ浮かせ、その下部に気体を未封入なシートを引き込み、当該シートの各部に空気を送り込むことで目的の形状とし、上記連結部を枠体の側部及び接合部に巻きつける浴槽と、
を備えることを特徴とする浴槽付車椅子。
【請求項２】
車椅子の座部より面積の小さい天板と、当該天板に折りたたみ可能に止着された脚部と、上記天板より引出し可能に装着された架設部と、上記天板上部に枠体を継合させる継合部と、を有し、使用時に、当該脚部を立て、当該架設部を天板より引き出して車椅子の前方に車椅子の座部の高さにて当該座部に架設する足置部と、
一方の端部を上記継合部の上方に挿抜可能にし、車椅子の肘掛の高さにおいて水平方向に屈曲可能にすると共に他方の端部に車椅子の背部に結合可能な結合部を具備し、水平方向に伸縮自在の二本の側部と、当該二本の側部を上記屈曲部近傍において水平方向に接合させうる接合部と、を有し、使用時に、一方の端部を天板の継合部に差し込み、枠体の他方の端部を車椅子の結合部に結合させ、さらに二本の側部を上記屈曲部近傍で相互に接合する枠体と、
排水部を有し、底部、脚壁部、背壁部、側壁部に気体を封入可能なシートにて構成され、背壁部から左右側壁部の一部に掛けての背側部区画、脚部区画、その他の一般区画を独立して構成し、これらの区画それぞれに独立して気体の封入が可能とし、上記脚壁部、側壁部の上方に上記枠体に連結させる連結部を有し、使用時に、介護対象者が車椅子に座着した状態で、介護対象者の臀部を片側ずつ浮かせ、その下部に気体を未封入なシートを引き込み、当該シートの各部に空気を送り込むことで目的の形状とし、上記連結部を枠体の側部及び接合部に巻きつける浴槽と、
より成る車椅子装着可能な入浴装置。
【発明の詳細な説明】
【技術分野】
【０００１】
本発明は、浴槽付車椅子、入浴装置に係り、詳しくは、持ち運び可能であり十分な強度を有する浴槽付車椅子、入浴装置に関する。
【背景技術】
【０００２】
従来、車椅子を利用する介護対象者を入浴させる場合、例えば浴槽を設けた入浴専用の介護用車椅子と、介護対象者を車椅子に移動させる移動用リフトと、その他入浴用機材とから構成される大規模な設備が必要であった。従って、個人がこれを導入するには金銭的に負担が大きかった。また、移動用リフトが無い場合では、浴槽に介護対象者を移動する際に、上半身と下半身を抱える少なくとも二人の介護者が必要であった。
【０００３】
これに対して、例えば特開２００２−１７２１４８号公報には、車椅子に例えばビニールシートを掛けることで、車椅子に座ることができさえすれば移動用リフト等なしで入浴できる技術が開示されている。これにより、移動用リフトが不要となるため比較的安価で導入可能であると共に、着座した状態からビニールシートを浴槽形状にすることができるため下半身を抱える介護者が不要となり、一人の介護者が付くのみで入浴可能であった。
【特許文献１】特開２００２−１７２１４８号公報
【発明の開示】
【発明が解決しようとする課題】
【０００４】
しかしながら、上記公報記載の技術では、特に浴槽形状にした場合、袋状の浴槽には数十リットルもの湯を入れるため、ナイロン製やビニロン製のシートのみでは十分な強度を得られないという問題を本願発明者が確認した。つまり、比較的丈夫なシートであっても、単に車椅子にシートを被せるのみでは脚部固定具（脚用テーブル）の側面に大きな水圧がかかり、シートが当該加圧部分から外に脹れでてしまうのである。
【０００５】
また、脚用テーブル及びシートが大きいため、比較的小さな上記公報記載の車椅子シート風呂であってもこれらを持ち運べるには至らない。よって、例えば上半身は健全である介護対象者であっても、浴槽を持ち出すことができないため、介護対象者の外出を促進できるまでには至っていない。
【０００６】
本発明は上記従来の事情に基づいて提案されたものであって、安価で十分な強度を有すると共に、可搬性を実現した浴槽付車椅子、入浴装置を提供する事を目的とするものである。
【課題を解決するための手段】
【０００７】
本発明は、上記目的を達成するために以下の手段を採用している。すなわち、本発明は、車椅子の背部に枠体を結合させる結合部を有し、上記車椅子の座部より面積の小さい天板と、当該天板に折りたたみ可能に止着された脚部と、上記天板より引出し可能に装着された架設部と、上記天板上部に枠体を継合させる継合部とを有し、使用時に、当該脚部を立て、当該架設部を天板より引き出して車椅子の前方に車椅子の座部の高さにて当該座部に架設する足置部と、一方の端部を上記継合部の上方に挿抜可能にし、車椅子の肘掛の高さにおいて水平方向に屈曲可能にすると共に他方の端部を上記結合部と結合しうる水平方向に伸縮自在の二本の側部と、当該二本の側部を上記屈曲部近傍において水平方向に接合させうる接合部と、を有し、使用時に、一方の端部を天板の継合部に差し込み、枠体の他端部を車椅子の結合部に結合させ、さらに二本の側部を上記屈曲部近傍で相互に接合する枠体と、排水部を有し、底部、脚壁部、背壁部、側壁部に気体を封入可能なシートにて構成され、背壁部から左右側壁部の一部に掛けての背側部区画、脚部区画、その他の一般区画を独立して構成し、これらの区画それぞれに独立して気体の封入が可能とし、上記脚壁部、側壁部の上方に上記枠体に連結させる連結部を有し、使用時に、介護対象者が車椅子に座着した状態で、介護対象者の臀部を片側ずつ浮かせ、その下部に気体を未封入なシートを引き込み、当該シートの各部に空気を送り込むことで目的の形状とし、上記連結部を枠体の側部及び接合部に巻きつける浴槽と、を備える。
【０００８】
この構成により、浴槽付車椅子等では、規格に沿った汎用車椅子を利用することが可能であるため、利用者は入浴装置のみ購入するだけで浴槽付車椅子を実現（利用）可能となる。従って、金銭的な負担を低く抑えることができる。また、浴槽を、気体を封入・排出可能な強化シートにて構成することで、大量の湯を入れた場合であってもその形状を保つことが可能となり、さらにその強度ゆえ、足置部の簡略化を図ることができ、これにより持ち運びのための小型化に貢献している。さらに、気体を封入することで、浴槽内における介護対象者への、浴槽外の硬部の接触刺激を和らげている。
【０００９】
なお、背壁部及び側壁部に取り外し可能に結合され、側壁部上方が背壁部上方よりも低い略山型形状の水滴飛散防止板を備える構成としても良い。
【００１０】
この構成により、入浴時の水滴の飛散を防止できるため、浴室でなくても入浴可能となる。また、水滴飛散防止板を略山型形状に構成することで、介護対象者への側面からの圧迫を和らげることができる。
【００１１】
また、足置部の脚部を折りたたみ、架設部を引込み、上記枠体を屈曲部にて折りたたみ、縮ませ、さらに上記浴槽の気体を排出させて畳むことで、座部下方の空間に上記足置部、枠体、及び浴槽を収納可能とする構成がある。
【００１２】
この構成では、入浴装置を容易に持ち運ぶことができるため、介護対象者の外出を促すことができる。
【００１３】
また、浴槽は、さらに、下端が上記排出部に接続され、上端が壁部上方であって浴槽の開口端より下部に、浴槽内部の水を排出可能に接続されている湯漏れ防止部を備える構成としてもよい。
【００１４】
湯漏れ防止部により、浴槽の上面開口部から水が溢れ出ることを防止することができる。
【００１５】
なお、上記足置部と、上記結合部を備えた枠体と、上記浴槽とをもって、車椅子装着可能な入浴装置とすることができる。
【発明の効果】
【００１６】
本発明に係る浴槽付車椅子等では、規格に沿った汎用車椅子を利用することが可能であるため、利用者は入浴装置のみ購入するだけで浴槽付車椅子を実現（利用）可能となる。従って、金銭的な負担を低く抑えることができる。
【００１７】
さらに、足置部やシート、枠体が折りたたみ可能であり、座部より小さくなる構成としているため、座部下部の空間に収納でき、容易に持ち運ぶことができる。これにより、介護対象者の外出を促すことができる。
【００１８】
また、浴槽を、気体を封入・排出可能な強化シートにて構成することで、大量の湯を入れた場合であってもその形状を保つことが可能となり、さらにその強度ゆえ、足置部の簡略化を図ることができ、これにより持ち運びのための小型化に貢献している。
【００１９】
さらに、気体を封入することで、浴槽内における介護対象者への、浴槽外の硬部の接触刺激を和らげている。
【００２０】
また、水滴飛散防止板を取り外し可能に備える構成では、入浴時の水滴の飛散を防止で
きるため、浴室でなくても入浴可能である。また、当該水滴飛散防止板を略山型形状に構成することで、介護対象者への側面からの圧迫を和らげることができる。
【発明を実施するための最良の形態】
【００２１】
以下、添付図面を参照して、本発明の実施の形態につき説明し、本発明の理解に供する。尚、以下の実施の形態は、本発明を具体化した一例であって、本発明の技術的範囲を限定する性格のものではない。
【００２２】
以下、本発明に係る浴槽付車椅子、入浴装置の構成について説明する。
【００２３】
図１は、浴槽付車椅子１の概略全体図である。浴槽付車椅子１は、大きく分割して、車椅子２、浴槽３、足置部４、枠体５より構成される。また、入浴装置は、浴槽３、足置部４、枠体５より構成される。
【００２４】
車椅子２は、図２に示すように、工業標準化法により日本工業規格（ＪＩＳ）にて定められている一般的な車椅子を利用可能である。具体的なサイズは、例えば座幅４０ｃｍ、座奥行４２ｃｍ、前座高４０〜４７．５ｃｍ、後座高３８〜４５．５ｃｍ、全高さ（ハンドル高さ）７５〜８７．５ｃｍ、全長１０５ｃｍ、肘掛から前座２３．５ｃｍである。また、車椅子２の背もたれである背部の両側面に、枠体５の２つの端部を結合するための結合部２０１を備える。当該結合部２０１は、例えば車椅子２のハンドル２０２を構成するパイプに把持具を取り付け、枠体を挿入後、当該把持具に備えられたネジを手で回すことにより枠体の一端を車椅子２に結合させる構成でよい。なお、上記把持具を枠体側に結合部として具備しても良い。この場合、把持具の把持部で上記パイプを挟み、ネジにより結合させればよい。
【００２５】
浴槽３は、図３に示すように、底部３０１、入浴時に介護対象者の脚付近に位置する脚壁部３０２、入浴時に介護対象者の背中近に位置する背壁部３０３、入浴時に介護対象者の左側に位置する左側壁部３０４、入浴時に介護対象者の右側に位置する右側壁部３０５にて構成された略方形を有し、例えば底部３０１あるいは各壁部に排水のための排水ホース３０６が取り外し可能に接続されている。当該排水ホース３０６は、浴槽の内部分において開閉可能な排出口が設けられており、当該排出口を開けることにより水を排出可能である。また、排水ホースの排出口より浴槽外部に、湯漏れ防止ホース３１１の下端が接続され、湯漏れ防止ホース３１１の上端が、壁部上方であって浴槽３の開口端より例えば５ｃｍ下部に、浴槽３内部の水を排出可能に接続されている。当該湯漏れ防止ホース３１１は、浴槽３の外面、或いは内面に設置され、浴槽３の上面開口部から水が溢れ出ることを防止することができる。上記各部３０１〜３０５は、各部ごとに、或いは併設される壁部、底部と共に気体を封入・排出可能な強化シートにて構成されている。強化シートとは、例えばビニール素材や、ナイロン素材、さらにこれらにコーティングを施した複合素材であって、気密性及び水密性のある素材であり、具体的には硬質ポリ塩化ビニール類に順ずる素材が好適である。また、気体を封入することで浴槽の強度を高めると共に、浴槽内における介護対象者への、浴槽外の硬部の接触刺激を和らげ、さらに穴等の不具合を早期発見できる。さらに、背壁部３０４から左右側壁部３０４、３０５の一部に掛けての背側部区画３０８、脚部区画３０９、その他の一般区画３１０を独立して構成し、これらの区画それぞれに独立して気体の封入が可能としている。また、各区画内も、複数の通気可能な小区画に区切られている。これにより、各区画の強度を高くすることができると共に、面積の広い、底部３０１や左右側壁部３０４、３０５における捩れを防止することで浴槽全体としての強度を高めている。また、浴槽３は、脚壁部３０２、左右側壁部３０４、３０５の上方に、枠体５と連結させるための連結部３０７を有する。当該連結部３０７の構造は、例えばマジックテープ（登録商標）などに代表される面ファスナーを、各壁部外側に、枠体５を構成するパイプを把持可能に設けることで実現している。なお、浴槽３は、気
体を排出することで、足置部４の天板程度に小さく畳むことが可能である。
【００２６】
足置部４は、図４に示すように、天板４０１と、天板４０１の底面に当該天板４０１の中心部に向かって折りたたんで収納可能に止着された脚部４０２と、天板４０１より矢印４０５方向に引き出し・収納可能である架設部４０３と、天板４０１の上面に枠体５の端部を継合可能な継合部４０４とが設けられて構成されている。上記継合部４０４は、枠体の端部の径とほぼ同サイズの穴で構成され、端部を継合部４０４に上下方向に差し込むことにより枠体を固定することができる。また、脚部を立てた状態での架設部４０３の高さは、車椅子２の座部の上面とほぼ同一の高さであり、当該架設部４０３を座部の上面に重ね合わせることで足置部４の下方向への圧力に対する必要な強度を有している。さらに天板４０１は、車椅子２の座部（座幅４０ｃｍ：座奥行４２ｃｍ）より面積を小さく設計しているため、架設部４０３を天板４０１内に収納し、脚部４０２を折りたたむことで、折りたたみ状態の浴槽３と、折りたたみ状態の枠体５とあわせて車椅子２の座部の下部に格納可能である。
【００２７】
枠体５は、図５に示すように、天板４０１上部の継合部４０４に継合させる端部５０１を有する短枠５０４と、車椅子２の結合部２０１と結合させる端部５０２を有する長枠５０３が、屈曲部５０６にて矢印５０７方向に屈曲可能に接合されて側部が形成されている。また２つの側部が、屈曲部５０６近傍にて接合部材５０８と取り外し可能に接合されている。また、長枠５０３は、矢印５０５方向に伸縮自在であり、例えば２〜３段に伸縮することで、折りたたみ時に座部の下部に収納可能となっている。
【００２８】
次に、浴槽付車椅子の使用の一例を図６〜８を用いて説明する。
【００２９】
浴槽付車椅子を利用する場合、介護者或いは介護対象者は、車椅子２の座部下方の収納空間２０３に折りたたまれて格納されている浴槽３、足置部４、枠体５を取り出す。そして、足置部４の脚部４０２を立て、架設部４０３を天板４０１より引き出して車椅子２の前方に設置する。この際、架設部４０３を車椅子２の座部の上に掛けることにより、足置部４をコンパクトにできるにも関わらず、天板４０１及び架設部４０３の下方に掛かる介護対象者及び湯の重さに耐える強度を得ることができる。当該設置は、介護対象者が車椅子２に座着した状態で可能である。
【００３０】
続いて、足置部４を設置した後、浴槽３を車椅子２の座部上方に設置する。当該設置も、介護対象者が座着した状態で、介護対象者の臀部を片側ずつ浮かせ、その下部に引き込むことで可能である。次に、浴槽３を介護対象者の足方向に伸ばすことで、介護対象者は浴槽３の中に位置する状態となる。介護対象者が浴槽３の中に位置する状態とした後、組み立てた枠体４の短枠５０４を天板４０１の継合部４０４に差し込み、さらに長枠５０３を車椅子２の結合部２０１に結合させることで、図７の状態となる。以上までの作業は、介護対象者一人、あるいは介護者一人でも十分実施可能である。また、図７の枠体５が無い状態までを介護者が整え、続いて介護対象者をベッド等から車椅子２に移動させるようにすることで、枠体５が邪魔にならないため、一人の介護者でも介護対象者を浴槽内に移動させることができる。
【００３１】
次に、図７の状態にて、例えば口、足踏みポンプ、或いは電動ポンプなどを用いて浴槽３の各部に空気を送り込むことで浴槽を膨らませ、図８の状態とする。空気の力により浴槽３が方形に形成された状態で、浴槽３の連結部３０７を枠体５の長枠５０３及びに接合部材５０８に巻きつけ、連結部３０７の複数の面ファスナー８０１にて固定することで、浴槽３と枠体５とを連結する。
【００３２】
以上により、図１に示した浴槽付車椅子が完成する。
【００３３】
浴槽付車椅子が完成した後は、浴槽３内部に十分な湯を入れることにより、介護対象者が入浴することができる。
【００３４】
入浴終了後は、底部３０１に付された、排水ホース３０６の口を開くことで浴槽３内部の湯を排水し、上述した手順とは逆の手順で各部の連結を外し、入浴装置をひとまとめにして収納空間２０３に収納することで入浴が完了する。
【００３５】
上述した浴槽付車椅子では、規格に沿った汎用車椅子を利用することが可能であるため、利用者は入浴装置のみ購入するだけで浴槽付車椅子を実現（利用）可能となる。従って、金銭的な負担を低く抑えることができる。
【００３６】
さらに、足置部やシート、枠体が折りたたみ可能であり、座部より小さくなる構成としているため、座部下部の空間に収納でき、容易に持ち運ぶことができる。これにより、介護対象者の外出を促すことができる。
【００３７】
また、浴槽を、気体を封入・排出可能な強化シートにて構成することで、大量の湯を入れた場合であってもその形状を保つことが可能となり、さらにその強度ゆえ、足置部の簡略化を図ることができ、これにより持ち運びのための小型化に貢献している。
【００３８】
さらに、気体を封入することで、浴槽内における介護対象者への、浴槽外の硬部の接触刺激を和らげている。
【００３９】
なお、浴槽の背壁部３０３及び側壁部３０４の上部に、図６に示す水滴飛散防止フード９０１を取り外し可能に備える構成としてもよい。水滴飛散防止フード９０１は、浴槽３に湯を満たした状態で介護対象者が背壁部３０３にもたれ掛った場合、背壁部３０３近傍への水の飛散を防止するための板状のフードである。当該水滴飛散防止フード９０１は、例えば浴槽３と同一素材で、厚みが１〜２ｃｍ、空気を注入することで板状になる。これにより、入浴時の水滴の飛散を防止できるため、浴室でなくても入浴可能である。また、当該水滴飛散防止フード９０１は、側壁部３０４上方が、背壁部３０４上方よりも低い略山型形状に構成されており、側壁部３０４上方は介護対象者の脇よりも低い。これにより、水の飛散を防止すると共に介護対象者への側面からの圧迫を和らげる効果を有する。
【００４０】
また、以上に示した浴槽付車椅子の各部について、図３〜５に、可搬性を実現するための目安となる寸法を記載したが、これに限定するものではない。
【産業上の利用可能性】
【００４１】
本発明にかかる浴槽付車椅子、入浴装置は、安価で十分な強度を有すると共に、可搬性を実現した浴槽付車椅子、入浴装置として有用である。
【図面の簡単な説明】
【００４２】
【図１】本発明に係る浴槽付車椅子の組み立て時の概略斜視図。
【図２】車椅子の概略全体図。
【図３】浴槽の概略構成図。
【図４】足置部の概略構成図。
【図５】枠体の概略構成図。
【図６】浴槽付車椅子の組み立て方法を示す第一の図。
【図７】浴槽付車椅子の組み立て方法を示す第二の図。
【図８】浴槽付車椅子の組み立て方法を示す第三の図。
【図９】水滴飛散防止板の概略構成図。
【符号の説明】
【００４３】
１  浴槽付車椅子
２  車椅子
３  浴槽
４  足置部
５  枠体
２０１  結合部
２０２  ハンドル
２０３  収納空間
３０１  底部
３０２  脚壁部
３０３  背壁部
３０４  左側壁部
３０５  右側壁部
３０６  排水ホース
３０７  連結部
３０８  背側部区画
３０９  脚部区画
３１０  一般区画
３１１  湯漏れ防止ホース
４０１  天板
４０２  脚部
４０３  架設部
４０４  継合部
５０１、５０２  端部
５０３  長枠
５０４  短枠
５０６  屈曲部
５０８  接合部材
９０１  水滴飛散防止フード
【図１】
0004321826.tif 000002
【図２】
0004321826.tif 000003
【図３】
0004321826.tif 000004
【図４】
0004321826.tif 000005
【図５】
0004321826.tif 000006
【図６】
0004321826.tif 000007
【図７】
0004321826.tif 000008
【図８】
0004321826.tif 000009
【図９】
0004321826.tif 000010